(57)【要約】【課題】光変調部等の光学部品への塵埃等の付着を抑制することが可能なプロジェクターを提供する。【解決手段】吸気ファンから吸気された空気が、光学ユニット内を流路として通過した後、筐体内の他の空間へ排出されること。これによって、前記光学ユニット内部の気圧が前記筐体内部の他の空間に比べ高くなり、塵埃が前記光学ユニット内に侵入することを抑制する。【選択図】図3
2012063388.tif 000002
【特許請求の範囲】
【請求項１】
光束を射出する光源と、前記光束を画像信号に応じて変調して投影する光学ユニットと、これらを収納する筐体とを備えたプロジェクターであって、
前記筐体外部の空気を前記光学ユニット内に吸気する吸気ファンと、を備え、
前記吸気ファンにより吸気された空気が、前記光学ユニット内を流路として通過後、前記筐体内へ排出されることを特徴とするプロジェクター。
【請求項２】
請求項1に記載のプロジェクターであって、
前記筐体には、前記吸気ファンが前記空気を取り入れるための吸気口が設けられ、前記吸気口から吸気された空気が前記光学ユニット内へ導入されるまでの流路が密閉されていることを特徴とするプロジェクター。
【請求項３】
請求項１または２に記載のプロジェクターであって、
前記筐体には、前記吸気ファンが前記空気を取り入れるための吸気口が形成され、当該吸気口と当該吸気ファンの間に、防塵フィルターが配置されていることを特徴とするプロジェクター。
【請求項４】
請求項１〜３のいずれか一項に記載のプロジェクターであって、
前記筐体内部の空気を前記筐体に設けられた排気口を通じて外部に排出する排気ファンをさらに備えることを特徴とするプロジェクター。
【請求項５】
請求項１ないし請求項４のいずれか一項に記載のプロジェクターであって、
前記光学ユニットは、照明光学部と、色分離光学部と、リレー光学部と、光変調部と、光合成光学部と、投写光学部とを備え、
前記吸気ファンにより吸気された前記空気は、前記光学ユニットの前記光合成光学部および前記光変調部に導入され、前記光学ユニット内を通過して照明光学部より筐体内へ排出されることを特徴とするプロジェクター。
【請求項６】
請求項１ないし請求項５のいずれか一項に記載のプロジェクターであって、
前記光源に空気を導入する光源用吸気ファンをさらに備え、
前記光源用吸気ファンは前記筐体に設けられた光源用吸気口から前記筐体外部の空気を前記光源に導入し、前記光源から筐体内部へ排出されることを特徴とするプロジェクター。
【請求項７】
請求項６に記載のプロジェクターであって、
前記光源用吸気ファンは、さらに筐体内吸気口から前記筐体内の空気を前記光源に導入し、
前記筐体内吸気口は、前記光学ユニット内へ導入された空気を筐体内へ排出する排出箇所近傍に配置されていることを特徴とするプロジェクター。
【発明の詳細な説明】
【技術分野】
【０００１】
本発明は、光源から射出された光束を変調して画像光を投写するプロジェクターに関する。
【背景技術】
【０００２】
プロジェクターは、光源からの光束を液晶ライトバルブなどの光変調部を用いて変調し、変調された画像光をスクリーン等に投写する光学機器であり、企業内でのプレゼンテーションや、家庭内での映画鑑賞等の種々の用途に用いられている。
光源は、その点灯に伴って、光源自身や光変調部等の内部部品の温度上昇を招き、それらの部品の性能や機能を低下させる。内部部品の温度上昇を抑制するために、多くのプロジェクターには、外気を取り入れて内部部品を冷却する吸気ファン、および筐体内部の温まった空気を筐体外部に排気する排気ファンが備えられている。
【０００３】
内部部品の上昇温度は、使用環境や使用時間等によって変わるため、上昇温度が高くなったときにも内部部品を適正に冷却できるように、吸気ファンおよび排気ファンの回転速度を高く設定できるようにしておく必要がある。しかし、回転速度を上げると回転音による騒音が大きくなるため、吸気ファンおよび排気ファンを個別に制御して、必要以上に回転速度を上げないように、静音化を図ったプロジェクターが提案されている（特許文献１参照）。
【０００４】
しかしながら、特許文献１に記載のプロジェクターは、吸気ファンと排気ファンとを個別に制御しているため、筐体内に取り入れられる吸気量よりも筐体外に排気される排気量が上回る場合が考えられる。このような場合には、筐体内は、圧力が低下した状態になるため、吸気ファンからの吸気量で不足する量を補うように、吸気口以外の隙間から外気が吸入される。通常、プロジェクターは、吸気口に防塵フィルターが配置されていて、外気中に浮遊する塵埃の侵入を抑制しているが、それ以外の隙間には、塵埃の侵入を防ぐ手段が講じられていない。このため、筐体内の圧力が低下した状態になると、隙間から塵埃を含んだ外気がそのまま筐体内に吸入されてしまう虞がある。この塵埃が光変調部等の光学部品に付着すると、投写画像の画質が劣化するという問題がある。
これに対し、吸気ファンからの吸気量が筐体外に排気される排気量を常に上回るようなファンの制御を行うプロジェクターが提案されている（特許文献２参照）。
【先行技術文献】
【特許文献】
【０００５】
【特許文献１】特開２００３−５２８９号公報
【特許文献２】特開２００８−２８６８２４号公報
【発明の概要】
【発明が解決しようとする課題】
【０００６】
しかしながら、特許文献２に記載のプロジェクターは、吸気ファンからの吸気量が筐体外に排気される排気量を常に上回るように制御しているため、前記吸気ファンと前記排気ファンの制御を関連付ける必要性がある。これを達成するためには、製品の設計段階で、前記吸気ファンと前記排気ファンとの給排気能力の関係を求めておく必要がある。
【０００７】
本発明は、上記課題に鑑みてなされたものであり、その目的は、吸気ファンと排気ファンの制御を関連付けることなく、光変調部等の光学部品への塵埃等の付着を抑制することが可能なプロジェクターを提供することにある。
【課題を解決するための手段】
【０００８】
本発明は、上述の課題の少なくとも一部を解決するためになされたものであり、以下の形態または適用例として実現することが可能である。
【０００９】
［適用例１］本適用例に係るプロジェクターは、光束を射出する光源と、前記光束を画像信号に応じて変調して投影する光学ユニットと、これらを収納する筐体とを備えたプロジェクターであって、前記筐体外部の空気を前記光学ユニット内に吸気する吸気ファンを備え、前記吸気ファンにより吸気された空気が、前記光学ユニット内を流路として通過後、前記筐体内へ排出されることを特徴とする。
【００１０】
本適用例によれば、吸気ファンから吸気された空気が、光学ユニット内を流路として通過するため、光学ユニット内部の気圧が筐体内部の他の空間に比べ高くなり、これによって、筐体の隙間から侵入した外気に混在する塵埃が光学ユニット内に侵入することを抑制することが可能となる。よって、投写画像の画質の劣化を抑制することが可能となり、製品の長寿命化を図ることができる。
【００１１】
［適用例２］上記適用例に記載のプロジェクターにおいて、前記筐体には、前記吸気ファンが前記空気を取り入れるための吸気口が設けられ、前記吸気口から吸気された空気が前記光学ユニット内へ導入されるまでの流路が密閉されていることを特徴とする。
【００１２】
本適用例によれば、吸気口から吸気された空気が光学ユニット内へ導入されるまでの流路が密閉されているため、筐体内の他の空間に対し隔絶された空間となり、これによって、吸気口から吸気された空気が光学ユニット内へ導入されるまでの流路において、筐体の隙間から侵入した外気に混在する塵埃が流路に侵入するのを防ぐことが可能となる。よって、投写画像の画質の劣化を抑制することが可能となり、製品の長寿命化を図ることができる。
【００１３】
［適用例３］上記適用例に記載のプロジェクターにおいて、前記筐体には、前記吸気ファンが前記空気を取り入れるための吸気口が形成され、当該吸気口と当該吸気ファンの間に、防塵フィルターが配置されていることを特徴とする
【００１４】
本適用例によれば、吸気ファンが空気を取り入れる吸気口には、防塵フィルターが配置されているため、外気に混在する塵埃の筐体内部への侵入を抑制することが可能となる。
【００１５】
［適用例４］上記適用例に記載のプロジェクターにおいて、前記筐体内部の空気を前記筐体に設けられた排気口を通じて外部に排出する排気ファンをさらに備えることを特徴とする。
【００１６】
本適用例によれば、吸気ファンにより光学ユニットに導入され、光学ユニットから筐体内部に排出された空気が、排気ファンで筐体外部に排気されることにより、筐体内部を効率的に冷却することができる。
【００１７】
［適用例５］上記適用例に記載のプロジェクターにおいて、前記光学ユニットは、照明光学部と、色分離光学部と、リレー光学部と、光変調部と、光合成光学部と、投写光学部とを備え、前記吸気ファンにより吸気された前記空気は、前記光学ユニットの前記光合成光学部および前記光変調部に導入され、前記光学ユニット内を通過して照明光学部より筐体内へ排出されることを特徴とする。
【００１８】
本適用例によれば、光学ユニットに導入される筐体外部から吸気された空気を最初に光合成光学部および光変調部に導入して冷却するようにしたため、光合成光学部および光変調部を効率的に冷却できる。さらに、光合成光学部および光変調部を冷却した空気を照明光学部より筐体内へ排出するようにしたため、光学ユニット全体を効率よく冷却することができる。
【００１９】
［適用例６］上記適用例に記載のプロジェクターにおいて、前記光源に空気を導入する光源用吸気ファンをさらに備え、前記光源用吸気ファンは前記筐体に設けられた光源用吸気口から前記筐体外部の空気を、前記光源に導入し、前記光源から筐体内部へ排出されることを特徴とする。
【００２０】
本適用例によれば、光源用吸気ファンにより、筐体外部の空気を光源用吸気口からフィルターを通して、光源に導入することにより光源内部に塵埃が侵入することを抑制することが出来る。
【００２１】
［適用例７］上記適用例に記載のプロジェクターにおいて、前記光源用吸気ファンは、さらに筐体内吸気口から前記筐体内の空気を前記光源に導入し、前記筐体内吸気口は、前記光学ユニット内に導入された空気を筐体内へ排出する排出箇所近傍に配置されていることを特徴とする。
【００２２】
本適用例によれば、筐体外部のみならず、光学ユニットからの排出口近辺の筐体内部の空気を光源に導入することにより、塵埃の進入を抑制しながら、より多くの空気を光源に導入できるようにすることができる。
【図面の簡単な説明】
【００２３】
【図１】本実施形態のプロジェクターの上方前面側から見た斜視図。
【図２】本実施形態のプロジェクターの下方背面側から見た斜視図。
【図３】本実施形態のプロジェクターの概略構成を示す平面図。
【図４】図３におけるＡ−Ａ断面図。
【発明を実施するための形態】
【００２４】
以下、本発明の実施形態に係るプロジェクターについて、図面を参照して説明する。
本実施形態のプロジェクターは、光源から射出された光束を画像信号に応じて変調して画像光を形成し、その画像光をスクリーン等に拡大投写するものであり、光源の点灯に伴う温度上昇を抑制するために、筐体内に外気を取り入れて本体を冷却することができるようになっている。
図１および図２は、本実施形態のプロジェクターの外観を示す図であり、図１は、上方前面側から見た斜視図、図２は、下方背面側から見た斜視図である。
【００２５】
図１および図２に示すように、プロジェクター１は、本体が筐体１０で囲まれた構成を有している。
筐体１０は、合成樹脂製であり、上部分を構成するアッパーケース１１と、下部分を構成するロアーケース１２と、背面部分の一部を構成するリアケース１３とを備えている。これらアッパーケース１１、ロアーケース１２およびリアケース１３は、ネジ等により固定されている。
【００２６】
アッパーケース１１は、上面１１Ａ、前面１１Ｂ、側面１１Ｃ，１１Ｄおよび背面１１Ｅから構成される。
図１に示すように、アッパーケース１１の前面１１Ｂには、略円形状の開口部１５が形成されている。そして、この開口部１５には、画像光を拡大投写する投写レンズ５１０の前面が露出している。
上面１１Ａには、開口部１６が形成されており、その開口部１６から投写レンズ５１０のフォーカス調整、および倍率調整の操作を行うレバー５１１，５１２が露出している。また、上面１１Ａには、操作部１４が設けられている。
操作部１４は、プロジェクター１の各種設定を行うためのメニュー画像の表示／非表示を切り換えるメニューキー、入力ソースを切り換えるソース切換えキー等、各種指示を行うための複数のキー等を備えている。
【００２７】
図２に示すように、アッパーケース１１の背面１１Ｅには、側面１１Ｄ寄りにリアケース１３を取り付ける開口部２４が形成されている。
【００２８】
ロアーケース１２は、底面１２Ａ、側面１２Ｃ，１２Ｄおよび背面１２Ｅを有して構成される。底面１２Ａには、側面１２Ｃと背面１２Ｅに近接する隅部に、光源装置１１０（図３参照）を収納するための矩形状の開口部２１が形成されている。開口部２１には、開口部２１を覆うランプカバー２２が着脱自在に設けられている。
【００２９】
リアケース１３は、ロアーケース１２の背面１２Ｅの内側に形成された図示しない溝部に嵌め込み式で固定され、アッパーケース１１の開口部２４を塞ぐように取り付けられている。リアケース１３には、アッパーケース１１の上面１１Ａ寄りに略矩形状の凹部１３１が形成されており、凹部１３１には、複数の孔１３２が設けられている。この孔１３２から、外部の電子機器と接続するための複数の接続端子１３５が露出している。
【００３０】
ロアーケース１２の底面１２Ａには、側面１２Ｄと背面１２Ｅとに近接する隅部に、凹形状の吸気口２３が形成されている。また、アッパーケース１１の背面１１Ｅの略中央部にも、略同形状の光源用吸気口としての吸気口２５が形成されている。吸気口２３および吸気口２５には、それぞれ外気を取り入れる複数の孔が設けられており、本体は、この複数の孔から取り込まれた外気を、後述する防塵フィルター２６，２８を通過させた空気によって、冷却される。
また、吸気口２３および吸気口２５には、それぞれ防塵フィルター２６（図４参照）、防塵フィルター２８（図３参照）が配置されている。防塵フィルター２６，２８は、外気を通す孔が形成されたフィルター枠２７，２９によってそれぞれロアーケース１２、アッパーケース１１に保持されている。また、アッパーケース１１の側面１１Ｃには、排気口１７が形成されており、光源の点灯に伴って上昇した筐体１０内の温まった空気は、この排気口１７から外部に排出される。
【００３１】
次に、プロジェクター１の概略構成について説明する。
図３は、プロジェクター１の概略構成を示す平面図であり、図４は、そのＡ−Ａ断面図である。
図３に示すように、プロジェクター１は、光源装置１１０と、筐体１０と、略Ｌ字状の光学ユニット３０と、吸気ファン４０と、排気ファン５０と、光源用吸気ファンとしての吸気ファン６０と、制御基板７０とを有して構成されている。
【００３２】
光学ユニット３０は、光源装置１１０から射出された光束を画像信号に応じて変調して画像光を形成し、その画像光を拡大投写する。
吸気ファン４０は、シロッコファンによって構成され、図４に示すように、吸気口２３の上方で、光学ユニット３０の下方に配置されている。言い換えると、本例に於いては、吸気口２３と光学ユニット３０との間に吸気ファン４０は配置されている。吸気ファン４０は、吸気口２３から空気を吸気して光学ユニット３０を冷却する。
排気ファン５０は、軸流ファンによって構成され、図３に示すように、アッパーケース１１の側面１１Ｃに設けられた排気口１７の内側に配置されている。排気ファン５０は、筐体１０内部の温まった空気を排気口１７から筐体１０の外に排気する。
【００３３】
吸気ファン６０は、シロッコファンによって構成され、背面１１Ｅ側の略中央部、光源装置１１０近傍に配置されている。吸気ファン６０は、筐体外の空気及び筐体内の空気を吸気して筐体１０内を冷却する。
【００３４】
ここで、本体の各構成要素について詳細に説明する。
光学ユニット３０は、照明光学部１００と、色分離光学部２００と、リレー光学部３００と、光変調部としての液晶ライトバルブ４００Ｒ，４００Ｇ，４００Ｂと、光合成光学部としてのクロスダイクロイックプリズム４５０と、投写光学部５００とを備えている。
【００３５】
光源装置１１０は、光源１１１、リフレクタ１１２、光源１１１とリフレクタ１１２とを収容して固定する光源用筐体１１４、光束を射出するために光源用筐体１１４に設けられた開口部を覆う前面ガラス１１３等を備えて構成されている。
光源１１１から射出された放射状の光束は、リフレクタ１１２で反射されて略平行光束となり、前面ガラス１１３を透過して第１のレンズアレイ１２０へと射出される。
本実施形態では、光源１１１として、超高圧水銀ランプを採用し、リフレクタ１１２として、放物面鏡を採用している。なお、光源１１１としては、超高圧水銀ランプに限らず、例えばメタルハライドランプ等を採用してもよい。また、リフレクタ１１２としては、放物面鏡に限らず、楕円面鏡からなるリフレクタの射出面に平行化凹レンズを配置した構成を採用してもよい。
【００３６】
照明光学部１００は、第１のレンズアレイ１２０と、第２のレンズアレイ１３０と、偏光変換素子１４０と、重畳レンズ１５０とを有している。
光源１１１から射出された光束は、第１のレンズアレイ１２０によって複数の微小な部分光束に分割され、各部分光束は、第２のレンズアレイ１３０および重畳レンズ１５０によって照明対象である３つの液晶ライトバルブ４００Ｒ，４００Ｇ，４００Ｂの表面で重畳される。第１のレンズアレイ１２０および第２のレンズアレイ１３０は、小レンズをマトリックス状に配列して形成されている。
偏光変換素子１４０は、ランダム偏光の光束を３つの液晶ライトバルブ４００Ｒ，４００Ｇ，４００Ｂで利用可能な偏光方向を有する偏光光に揃える機能を有している。
【００３７】
色分離光学部２００は、照明光学部１００から射出された光束を、それぞれ異なる波長域の３色の光束に分離する機能を有している。第１のダイクロイックミラー２１０は、赤色光成分（以下「Ｒ光」という。）を反射させると共に、緑色光成分（以下「Ｇ光」という。）および青色光成分（以下「Ｂ光」という。）を透過する。
第１のダイクロイックミラー２１０で反射したＲ光は、反射ミラー２３０で反射され、平行化レンズ２４０Ｒを透過してＲ光用の液晶ライトバルブ４００Ｒを照明する。平行化レンズ２４０Ｒは、照明光学部１００からの複数の部分光束を、それぞれ液晶ライトバルブ４００Ｒを照明するように集光する。通常、各部分光束が、それぞれ略平行な光束となるように設定されている。他の液晶ライトバルブ４００Ｇ，４００Ｂの前に配設された平行化レンズ２４０Ｇ，２４０Ｂも、平行化レンズ２４０Ｒと同様の機能を有している。
【００３８】
第２のダイクロイックミラー２２０は、Ｇ光を反射させると共に、Ｂ光を透過する。このため、第１のダイクロイックミラー２１０を透過したＧ光とＢ光のうちＧ光は、第２のダイクロイックミラー２２０によって反射され、平行化レンズ２４０Ｇを透過してＧ光用の液晶ライトバルブ４００Ｇを照明する。一方、Ｂ光は、第２のダイクロイックミラー２２０を透過し、リレー光学部３００を通過して、さらに平行化レンズ２４０Ｂを通って、Ｂ光用の液晶ライトバルブ４００Ｂを照明する。
【００３９】
リレー光学部３００は、入射側レンズ３１０、入射側反射ミラー３２０、リレーレンズ３３０および射出側反射ミラー３４０を有している。色分離光学部２００から射出されたＢ光は、入射側レンズ３１０によってリレーレンズ３３０近傍で収束し、平行化レンズ２４０Ｂ（射出側反射ミラー３４０）に向かって発散する。平行化レンズ２４０Ｂに入射する光束の大きさは、入射側レンズ３１０に入射する光束の大きさに略等しくなるように設定されている。このように、Ｂ光にリレー光学部３００が用いられているのは、Ｂ光の光路の長さが他の色光の光路長さよりも長いため、光の発散等による光の利用効率の低下を防止するためである。なお、リレー光学部３００は、３つの色光の中で、Ｂ光を通す構成としたが、これに限らず、例えば、Ｒ光を通す構成としてもよい。
【００４０】
液晶ライトバルブ４００Ｒ，４００Ｇ，４００Ｂは、それぞれ透過型の液晶パネルとその両面に配置された入射側偏光板、射出側偏光板を有して構成されている。液晶ライトバルブ４００Ｒ，４００Ｇ，４００Ｂは、それぞれの表面に入射した各色光を、それぞれに対応する画像信号に応じて変調し、各色光の画像光を形成してクロスダイクロイックプリズム４５０に射出する。
クロスダイクロイックプリズム４５０は、液晶ライトバルブ４００Ｒ，４００Ｇ，４００Ｂから射出された各色光の画像光を合成して、カラー画像を表す画像光を形成し、投写光学部５００に射出する。
投写光学部５００は、投写レンズ５１０を有し、クロスダイクロイックプリズム４５０からの画像光をスクリーン等（不図示）に拡大投写する。
【００４１】
次に、各ファン（吸気ファン４０，６０、及び排気ファン５０）について詳細に説明する。
図４に示すように、吸気ファン４０は、その空気導入口４１がロアーケース１２の吸気口２３と対向するように配置され、外気を空気導入口４１から吸気して（流れＦ１０）、空気排出口４２から吐出する（流れＦ１１）。吸気口２３には、防塵フィルター２６が配置されており、外気に混在する塵埃が筐体１０内部に侵入することを抑制する。
吸気ファン４０は、静圧が高いシロッコファンで構成されているので、吸気口２３に防塵フィルター２６が配置されていても外気を効率よく吸気することができる。
【００４２】
吸気ファン４０の空気排出口４２側には、ダクト４５が配置されている。ダクト４５は、合成樹脂製であり、吸気ファン４０の空気排出口４２から液晶ライトバルブ４００Ｒ，４００Ｇ，４００Ｂの下方にわたって形成されている。
ダクト４５は、箱状をしており、その１つの側面には、開口部４５Ａが形成され、天面には、３つの孔４５Ｂ（図示は１つのみ）が形成されている。開口部４５Ａは、吸気ファン４０の空気排出口４２を囲み、３つの孔４５Ｂは、それぞれ液晶ライトバルブ４００Ｒ，４００Ｇ，４００Ｂの下方に位置するように配置されている（図４において、液晶ライトバルブ４００Ｒ，４００Ｂは図示せず）。
【００４３】
そして、空気排出口４２から吐出される空気（流れＦ１１）は、ダクト４５によって案内されて、それぞれの孔４５Ｂから排出され（流れＦ１２）、液晶ライトバルブ４００Ｒ，４００Ｇ，４００Ｂ、およびクロスダイクロイックプリズム４５０を冷却して光学ユニット３０内を流れる（流れＦ１４）。
吸気ファン４０からダクト４５を通して、光学ユニット３０に導入された空気は、図３に示すように、照明光学部１００に設けられた排気口３１および排気口３２により筐体１０の内部に導かれる（流れＦ３２、Ｆ３３）。
排気口３１および排気口３２は、照明光学部１００における第１のレンズアレイ１２０と、偏光変換素子１４０との間に設けるのが好ましい。
【００４４】
図３に示すように、吸気ファン６０は、その空気導入口６１がアッパーケース１１の吸気口２５と対向するように配置されている。吸気ファン６０は、空気導入口６１から筐体１０外の空気を吸気する（流れＦ３０）。
吸気ファン６０の空気排出口６２から吐出された空気は、空気排出口６２に接続されたダクト６５により光源１１１の光源用筐体１１４に開けられた空気を導入するための開口部に導かれ（流れＦ３１）、光源を冷却した後筐体内へ排出される（流れＦ２２）。
吸気口２５には、防塵フィルター２８が配置され、防塵フィルター２８は、外気に混在する塵埃が内部に侵入することを抑制する。  
【００４５】
ここで、吸気ファン６０から光源用筐体１１４に導入する空気は、空気導入口６１からの外気のみでなく、筐体１０内の空気をも導入するようにすると、より多くの空気を導入することが可能になる。
この場合、筐体１０内の空気の導入を吸気ファン６０の空気導入口６１側とは反対側からも空気を吸入するファンを用いて、吸気することができる。この吸気ファン６０の筐体１０内の空気を吸気する吸気口は光学ユニット３０の排気口３１または排気口３２の近傍に設けることで、光学ユニット３０内から排出された空気を、吸気して光源用筐体１１４に導入すれば、光源用筐体内部に塵埃が侵入することを抑制することができる。
上記構成では、吸気ファン６０の筐体１０内の空気を吸気する吸気口を光学ユニット３０の排気口３１または排気口３２の近傍に配置したが、吸気ファン６０に接続されたダクトの吸入口を光学ユニット３０の排気口３１または排気口３２の近傍に設ける構成としても良い。この場合には、吸気ファン６０を光学ユニット３０の排気口３１または排気口３２の近傍に設ける必要がなくなる。
さらに、光学ユニット３０の排気口３１または排気口３２と吸気ファン６０を接続するダクト設けるようにすると、塵埃が光源用筐体１１４に進入することをより抑制することが可能となる。
【００４６】
排気ファン５０は、液晶ライトバルブ４００Ｒ，４００Ｇ，４００Ｂの冷却に伴い温まった空気（流れＦ２１）、光源１１１の発する熱により温まった空気（流れＦ２２）等の内部の空気を筐体１０の外部に排気する（流れＦ２３）。排気ファン５０は、シロッコファンに比べて風量が多い軸流ファンで構成されているので、効率良く排気することができる。
【００４７】
以上説明したように、本実施形態のプロジェクター１によれば、以下の効果を得ることができる。
（１）本実施形態のプロジェクター１によれば、吸気口２３及び吸気口２５から吸気された空気が、光学ユニット３０内を流路として通過するため、吸気ファン４０及び吸気ファン６０と排気ファン５０との制御を関連付けることなく、光学ユニット３０内部の気圧が筐体１０内部の他の空間に比べ高くなり、これによって、筐体１０の隙間から侵入した外気に混在する塵埃が光学ユニット３０内に侵入することを抑制することが可能となる。よって、投写画像の画質の劣化を抑制することが可能となり、製品の長寿命化を図ることができる。
【００４８】
（２）本実施形態のプロジェクター１によれば、吸気口２３及び吸気口２５から吸気された空気が光学ユニット３０内へ導入されるまでの流路が密閉されているため、筐体１０内の他の空間に対し隔絶された空間となり、これによって、吸気口２３及び吸気口２５から吸気された空気が光学ユニット３０内へ導入されるまでの流路において、筐体１０の隙間から侵入した外気に混在する塵埃が侵入するのを防ぐことが可能となる。
【００４９】
（３）本実施形態のプロジェクター１によれば、吸気ファン４０は、静圧が高いシロッコファンで構成されているので、吸気口２３に防塵フィルター２６が配置されていても、外気を効率よく吸気して液晶ライトバルブ４００Ｒ，４００Ｇ，４００Ｂを冷却することができる。
【００５０】
（６）本実施形態のプロジェクター１によれば、排気ファン５０は、シロッコファンより風量が多い軸流ファンで構成されているので、液晶ライトバルブ４００Ｒ，４００Ｇ，４００Ｂの冷却に伴い温まった空気、光源１１１の発する熱により温まった空気等の内部の空気を効率良く筐体１０外に排気することができる。
【符号の説明】
【００５１】
１…プロジェクター、１０…筐体、１１…アッパーケース、１２…ロアーケース、１３…リアケース、１５，１６…開口部、１７…排気口、２３…吸気口、２５…吸気口、２６，２８，１２８…防塵フィルター、３０…光学ユニット、４０…吸気ファン、４１…空気導入口、４２…空気排出口、４５，６５…ダクト、５０…排気ファン、６０…吸気ファン、６１…空気導入口、６２…空気排出口、７０…制御基板、１１１…光源、４００Ｒ，４００Ｇ，４００Ｂ…液晶ライトバルブ、４５０…クロスダイクロイックプリズム、５００…投写光学部、５１０…投写レンズ。
【図１】
2012063388.tif 000003
【図２】
2012063388.tif 000004
【図３】
2012063388.tif 000005
【図４】
2012063388.tif 000006